(57)【要約】      （修正有）【課題】フレームのないタイルドディスプレースクリーンを実現し、観賞者の視覚的分断感を最大限に減少させることができるディスプレースクリーンを提供する。【解決手段】ディスプレースクリーンは、有効表示領域１とフレーム領域２とを備え、有効表示領域１中フレーム領域２寄りの位置に画像重畳表示領域３が設けられ、画像重畳表示領域３は、有効表示領域１で表示しようとする画像に関する第１表示位置Ａと、フレーム領域２で表示しようとする画像に関する第２表示位置Ｂとを備え、第１位置Ａと第２位置Ｂとが交代して分布され、ディスプレースクリーンの出光面、且つ、少なくともフレーム領域２及び画像重畳表示領域３に対応する位置に偏光分光プリズム４が設けられ、偏光分光プリズム４の出光面に、画像重畳表示領域３での第２表示位置Ｂの光をフレーム領域２に集光させることができる集光プリズム５が設けられている。【選択図】図１
2014146025.tif 000002
【特許請求の範囲】
【請求項１】
ティスプレースクリーンであって、
有効表示領域とフレーム領域とを備え、前記有効表示領域でのフレーム領域寄りの位置に画像重畳表示領域が設けられ、前記画像重畳表示領域は、有効表示領域で表示しようとする画像に関する第１表示位置と、フレーム領域で表示しようとする画像に関する第２表示位置とを備え、前記第１表示位置と第２表示位置とが交代して分布され、
前記ディスプレースクリーンの出光面、且つ、少なくとも前記フレーム領域及び前記画像重畳表示領域に対応する位置に偏光分光プリズムが設けられ、
前記偏光分光プリズムの出光面に、前記画像重畳表示領域での第２表示位置の光をフレーム領域に集光させることができる集光プリズムが設けられている、
ことを特徴とするディスプレースクリーン。
【請求項２】
前記集光プリズムの反射面には偏光反射膜が設けられ、前記偏光反射膜は前記第１表示位置の光に対しては反射しないが、前記第２表示位置の光に対しては通過させることを特徴とする請求項１に記載のディスプレースクリーン。
【請求項３】
前記集光プリズムの反射面と前記偏光分光プリズムとの間には夾角があることを特徴とする請求項１又は２に記載のディスプレースクリーン。
【請求項４】
前記画像重畳表示領域に、列おきに画像を走査する方式で信号を入力して、前記画像重畳表示領域での前記第１表示位置と前記第２表示位置とを交代して分布させることを特徴とする請求項１から３のいずれか一項に記載のディスプレースクリーン。
【請求項５】
少なくとも一つの請求項１から４のいずれか一項に記載のディスプレースクリーンを備えることを特徴とするタイルドディスプレースクリーン。
【請求項６】
接合されて構成される第１ディスプレースクリーンと第２ディスプレースクリーンとを備え、前記第１ディスプレースクリーンは第１有効表示領域と第１フレーム領域とを備え、前記第２ディスプレースクリーンは第２有効表示領域と第２フレーム領域とを備え、
前記第１有効表示領域での第１フレーム領域寄りの位置には第１画像重畳表示領域が設けられ、前記第２有効表示領域での第２フレーム領域寄りの位置には第２画像重畳表示領域が設けられ、前記第１フレーム領域と第２フレーム領域とがお互いに接合されてフレーム待機表示領域を形成し、
前記第１画像重畳表示領域は、前記第１有効表示領域で表示しようとする画像に関する第１表示位置と、前記第１フレーム領域で表示しようとする画像に関する第２表示位置とを備え、前記第１表示位置と第２表示位置とが交代して分布され、
前記第２画像重畳表示領域は、前記第２有効表示領域で表示しようとする画像に関する第３表示位置と、前記第２フレーム領域で表示しようとする画像に関する第４表示位置とを備え、前記第３表示位置と第４表示位置とが交代して分布され、
前記タイルドディスプレースクリーンの出光面、且つ、少なくとも前記第１フレーム領域、前記第２フレーム領域、前記第１画像重畳表示領域及び前記２画像重畳表示領域に対応する位置に前記偏光分光プリズムが設けられ、
前記偏光分光プリズムの出光面に、前記第１画像重畳表示領域及び前記２画像重畳表示領域にそれぞれ位置する第２表示位置と第４表示位置との光を前記フレーム待機表示領域に集光させる集光プリズムが設けられている、
ことを特徴とする請求項５に記載のタイルドディスプレースクリーン。
【請求項７】
前記集光プリズムの反射面に偏光反射膜が設けられ、前記偏光反射膜は前記第１表示位置及び前記第３表示位置の光に対しては反射しないが、前記第２表示位置及び前記第４表示位置の光に対しては反射することを特徴とする請求項６に記載のタイルドディスプレースクリーン。
【請求項８】
前記集光プリズムは二つの反射プリズムを備え、前記二つの反射プリズムが対向して設置され、且つ、いずれも前記偏光分光プリズムと夾角を持っていることを特徴とする請求項６又は７に記載のタイルドディスプレースクリーン。
【請求項９】
前記二つの反射プリズムの間の夾角において、前記夾角の開口サイズは前記フレーム待機表示領域のサイズとマッチングすることを特徴とする請求項８に記載のタイルドディスプレースクリーン。
【請求項１０】
前記第１画像重畳表示領域及び前記２画像重畳表示領域のそれぞれに、列おきに画像を走査する方式で信号を入力して、前記第１画像重畳表示領域での第１表示位置と第２表示位置との交代的分布に対応し、且つ、前記第２画像重畳表示領域での第３表示位置と第４表示位置との交代的分布に対応することを特徴とする請求項６から９のいずれか一項に記載のタイルドディスプレースクリーン。
【請求項１１】
前記第１画像重畳表示領域と２画像重畳表示領域とのサイズはフレーム待機表示領域のサイズの半分であることを特徴とする請求項６から１０のいずれか一項に記載のタイルドディスプレースクリーン。
【発明の詳細な説明】
【技術分野】
【０００１】
本発明は、ディスプレースクリーン及びタイルドディスプレースクリーンに関する。
【背景技術】
【０００２】
薄膜トランジスタ液晶ディスプレー（ＴＦＴ−ＬＣＤ）技術の急速な発展に伴って、大型サイズのディスプレースクリーンがだんだんディスプレー産業におけるマーケティング需要を満たしてきている。フラットパネルディスプレースクリーンを利用したタイリングは、大型サイズのディスプレーを実現する主な方式である。液晶スクリーンの設計と製造プロセス等の制限のため、ＬＣＤディスプレースクリーンは一般に黒のフレーム部分を有するようになる。当該フレーム部分は、ＬＣＤパネルの回路配線、シーリング材、ブラックマトリクス等を含み、電子駆動と製造プロセス対して不可欠なスペース部分である。このため、ＬＣＤパネルを利用してディスプレースクリーンのタイリングを実現する時、表示される画像は大きいタイリング隙間によって対応する複数の領域に分断され、タイリングされた画像の鑑賞性と連続性を影響する。
【０００３】
タイリングされたディスプレースクリーンの間のタイリング隙間を解消するための従来の方法として、ディスプレースクリーンの縁部の画像を一定の比例で拡大させ、この拡大された画像で前記隙間を充填することがある。しかし、当該従来の方法によっては、タイリング隙間を完全に解消できず、且つ、表示される画像自体に対してもある程度の損害を与える。
【発明の概要】
【発明が解決しようとする課題】
【０００４】
本発明の目的は、従来の技術において大型サイズのタイルドディスプレースクリーンが各ディスプレースクリーンの間のタイリング隙間を完全に解消できないことで画面の表示品質が影響される不都合を解消できるディスプレースクリーン及びタイルドディスプレースクリーンを提供することである。
【課題を解決するための手段】
【０００５】
本発明で提供されるディスプレースクリーンは、有効表示領域とフレーム領域とを備え、前記有効表示領域のフレーム領域寄りの位置に画像重畳表示領域が設けられ、前記画像重畳表示領域は、有効表示領域で表示しようとする画像に関する第１表示位置と、フレーム領域で表示しようとする画像に関する第２表示位置とを備え、前記第１位置と第２位置とが交代して分布され、前記ディスプレースクリーンの出光面、且つ、少なくともフレーム領域及び画像重畳表示領域に対応する位置に偏光分光プリズムが設けられ、前記偏光分光プリズムの出光面に、画像重畳表示領域での第２表示位置の光をフレーム領域に集光させることができる集光プリズムが設けられている。
【０００６】
さらに、当該ディスプレースクリーンにおいて、例えば、前記集光プリズムの反射面には偏光反射膜が設けられ、前記偏光反射膜は第１表示位置の光に対しては反射しないが、第２表示位置の光に対しては反射する。
【０００７】
さらに、当該ディスプレースクリーンにおいて、例えば、前記集光プリズムの反射面と偏光分光プリズムの間には夾角がある。
【０００８】
さらに、当該ディスプレースクリーンにおいて、例えば、前記画像重畳表示領域の入力端に、列おきに画像を走査する方式で信号を入力して、画像重畳表示領域での第１表示位置と第２表示位置とを交代して分布させる。
【０００９】
また、本発明は、少なくとも一つ以上の上記ディスプレースクリーンを備えるタイルドディスプレースクリーンを提供する。
【００１０】
さらに、例えば、前記タイルドディスプレースクリーンは接合されて構成される第１ディスプレースクリーンと第２ディスプレースクリーンとを備え、前記第１ディスプレースクリーンは第１有効表示領域と第１フレーム領域とを備え、前記第２ディスプレースクリーンは第２有効表示領域と第２フレーム領域とを備え、前記第１有効表示領域での第１フレーム領域寄りの位置に第１画像重畳表示領域が設けられ、前記第２有効表示領域での第２フレーム領域寄りの位置に第２画像重畳表示領域が設けられ、前記第１フレーム領域と第２フレーム領域とがお互いに接合されてフレーム待機表示領域を形成し、前記第１画像重畳表示領域は前記第１有効表示領域で表示しようとする画像に関する第１表示位置と、前記第１フレーム領域で表示しようとする画像に関する第２表示位置とを備え、前記第１表示位置と第２表示位置とが交代して分布され、前記第２画像重畳表示領域は前記第２有効表示領域で表示しようとする画像に関する第３表示位置と、前記第２フレーム領域で表示しようとする画像に関する第４表示位置とを備え、前記第３表示位置と第４表示位置とが交代して分布され、前記タイルドディスプレースクリーンの出光面、且つ、少なくとも前記第１フレーム領域、前記第２フレーム領域、前記第１画像重畳表示領域、及び前記２画像重畳表示領域に対応する位置に、前記偏光分光プリズムが設けられ、前記偏光分光プリズムの出光面に、前記第１画像重畳表示領域及び前記２画像重畳表示領域にそれぞれ位置する第２表示位置と第４表示位置との光を前記フレーム待機表示領域に集光させる集光プリズムが設けられている。
【００１１】
さらに、当該タイルドディスプレースクリーンにおいて、例えば、前記集光プリズムの反射面に偏光反射膜が設けられ、前記偏光反射膜は前記第１表示位置と前記第３表示位置との光に対しては反射しないが、前記第２表示位置と前記第４表示位置との光に対しては反射する。
【００１２】
さらに、当該タイルドディスプレースクリーンにおいて、例えば、前記集光プリズムは二つの反射プリズムを備え、前記二つの反射プリズムが対向して設置され、且つ、いずれも偏光分光プリズムと夾角を持っている。
【００１３】
さらに、当該タイルドディスプレースクリーンにおいて、例えば、前記二つの反射プリズムの間の夾角において、前記夾角の開口サイズはフレーム待機表示領域のサイズとマッチングする。
【００１４】
さらに、当該タイルドディスプレースクリーンにおいて、例えば、前記第１画像重畳表示領域及び前記２画像重畳表示領域のそれぞれに、列おきに画像を走査する方式で信号を入力して、前記第１画像重畳表示領域での第１表示位置と第２表示位置との交代的分布対応し、且つ、前記第２画像重畳表示領域での第３表示位置と第４表示位置との交代的分布に対応する。
【００１５】
さらに、当該タイルドディスプレースクリーンにおいて、例えば、前記第１画像重畳表示領域と前記２画像重畳表示領域とのサイズはフレーム待機表示領域のサイズの半分である。
【発明の効果】
【００１６】
本発明で提供されるディスプレースクリーンとタイルドディスプレースクリーンは、フレームのないタイリングを実現して、観賞者の視覚的分断感を最大限に減少させ、観賞者に完全、明晰、高品質的な表示画面を確保する。
【００１７】
以下、本発明の実施形態の技術案をより明瞭に説明するために、本発明の実施形態の図面を簡単に紹介する。明らかに、以下の説明中の図面は、ただ本発明の部分的実施形態に係わり、本発明に対する制限ではない。
【図面の簡単な説明】
【００１８】
【図１】本発明の実施形態に係るディスプレースクリーンの構成の概略図である。
【図２】本発明の実施形態に係るディスプレースクリーンにおいて、偏光分光プリズムの構成の概略図である。
【図３】本発明の実施形態に係る偏光分光プリズムの分光原理の概略図である。
【図４】本発明の実施形態に係るタイルドディスプレースクリーンにおいて、ディスプレースクリーンの構成の概略図である。
【図５】本発明の実施形態に係るタイルドディスプレースクリーンにおいて、偏光分光プリズムの構成の概略図である。
【図６】本発明の実施形態に係るタイルドディスプレースクリーンにおいて、集光プリズムの構成の概略図である。
【図７】本発明の実施形態に係るタイルドディスプレースクリーンの原理構成の概略図である。
【発明を実施するための形態】
【００１９】
以下、図面と実施形態を結合して本発明の具体的な実施形態をもっと詳細に説明する。以下の実施形態は、本発明を説明するためのものであり、本発明の範囲を制限するものではない。
【００２０】
特に定義をしなければ、ここで使う技術用語又は科学用語は、本発明の所属分野内の一般の技術者が理解できる通常の意味を持っているべきである。本発明の説明で使う「第１」、「第２」及びこれらと類似する表現は、順番、数量、又は重要性の意味がなく、ただ異なる構成部分を区別するためのものである。「備える」、「含む」等及びこれらと類似する表現は、この表現の前にある素子や部材が前記表現の後で挙げられた素子や部材及び同じものを有しているが、他の素子又は部材も排除しないことを意味する。「上」、「下」、「左」、「右」等は、ただ相対位置関係を意味し、説明される対象の絶対位置関係が変わった場合、当該相対位置関係もそれにつれて変わる可能性がある。
【００２１】
図１〜２に示すように、本発明の一つの実施形態で提供されるディスプレースクリーンは、有効表示領域１とフレーム領域２とを備える。図面ではディスプレースクリーンの周縁部分領域だけを示し、有効表示領域１はディスプレースクリーンの中央部領域に位置し、フレーム領域２は有効表示領域１以外の縁部領域に位置する。
【００２２】
本実施形態のディスプレースクリーンは、前記有効表示領域１でのフレーム領域２寄りの位置に画像重畳表示領域３が設けられ、前記画像重畳表示領域３は、有効表示領域で表示しようとする画像に関する第１表示位置Ａと、フレーム領域で表示しようとする画像に関する第２表示位置Ｂとを備える。本実施形態で、第１表示位置Ａと第２表示位置Ｂとが交代して分布される。前記第１表示位置Ａと第２表示位置Ｂとのそれぞれは、一つ或は複数の画素に対応できる。
【００２３】
本実施形態のディスプレースクリーンは、ディスプレースクリーンの出光面、且つ、少なくともフレーム領域２と画像重畳表示領域３とに対応する位置に、偏光分光プリズム４と集光プリズム５とが設けられている。
【００２４】
偏光分光プリズム４の出光面には、画像重畳表示領域３での第２表示位置Ｂからの発射光をフレーム領域２に集光させる集光プリズム５が設けられている。偏光分光プリズム４は、有効表示領域１で表示する予定である画像の光線の偏光方向が変えないように確保するが、フレーム領域２で表示する予定である画像の光線の偏光方向を回転させ、即ち、９０度回転させ、有効表示領域１での画像の光線の偏光方向がフレーム領域２で表示する予定である画像の光線の偏光方向と垂直になるようにする。
【００２５】
集光プリズム５の反射面には、順次に偏光反射膜５２と反射プリズム５１が設けられている。偏光反射膜５２は、有効表示領域１で表示する予定である画像の光を反射しなく当該光を通過させるが、フレーム領域２で表示する予定である画像の光に対しては反射する。そして、本発明の実施形態中の反射プリズム５１と偏光反射膜５２によって構成された複合膜層において、反射プリズムはある偏光状態の光だけを反射し、ほかの偏光状態の光に対しては通過させる。当該ある偏光状態は、需要によって選択できる。
【００２６】
当該集光プリズム５によって、画像重畳表示領域３での第２表示位置Ｂからの光がフレーム領域２に集光できる。偏光反射膜５２と反射プリズム５１の全体は、偏光分光プリズム４の出光面から出射する異なる光線偏光方向に基づいて、選択的に異なる位置の光線に対して通過又は反射させる。例えば、偏光反射膜５２と反射プリズム５１の全体は、第１表示位置Ａから発射された光に対しては反射しなく通過させるが、第２表示位置Ｂから発射された光に対しては反射することができ、このようにして、第２表示位置Ｂから発射された光が偏光反射膜５２と反射プリズム５１によって反射される。当該偏光反射膜５２は、例えばワイヤグリッド偏光子又は反射偏光子である。
【００２７】
金属ワイヤグリッド偏光子は、金属表面の自由電子の発振特性を利用して、電界方向がワイヤグリッドの方向と平行な横電（ＴＥ）偏光が電子を励起してワイヤグリッドに沿う方向で発振させ、反射を生じるようにするが、電界方向がワイヤグリッドの方向と垂直な横磁（ＴＭ）偏光が当該ワイヤグリッドの周期性構造の制限により自由電子の発振を励起できないため、ＴＭ偏光は主に通過特性を示し、即ち、通過する。
【００２８】
反射偏光子は、ベースに透明な導電薄膜を塗布して構成される。このような反射偏光子は、薄膜で光中のある偏光分量に対して相殺干渉して、或は、少なくとも部分的に相殺干渉する。例えば、光の中で、Ｐ分量が抑制される時、抑制されないＳ分量は高い反射率に達する。
【００２９】
集光プリズム５の反射面と偏光分光プリズム４との間には夾角ａがあり、当該夾角ａにより、第２表示位置Ｂから発射された光が全部フレーム領域２中に集光され、フレーム領域２で画像を表示する。
【００３０】
好ましくは、例えば、各集光プリズム５には、少なくとも二つのお互いに平行する偏光反射膜５２が設けられ、偏光反射膜５２と偏光分光プリズム４の夾角は、集光プリズム５の反射面と偏光分光プリズム４との間の夾角と基本的に等しいので、第２表示位置Ｂから発射された光がお互いに平行に設置された偏光反射膜５２を介して全部フレーム領域２中に集光されることができ、フレーム領域２で対応する画像が表示される。
【００３１】
前記画像重畳表示領域３の入力端（図示せず）に、列おきに画像を走査する方式で信号を入力し、当該入力信号は画像重畳表示領域３での第１表示位置Ａと第２表示位置Ｂとの分布に対応する（例えば、交代して分布される）。
【００３２】
図３は、偏光分光プリズム４の一つの例の工作原理を示している。画像重畳表示領域３で、偏光分光プリズム４は旋光子アレイによって構成される。旋光子アレイは、上下の透明基板と、両基板の間に挟まれた液晶層とを含む。光線偏光方向の予定角度を変える必要がある位置に液晶層を設置し、光線偏光方向の予定角度を変える必要がない位置には空洞（エア）を形成し、或は、透明材料、例えば透明樹脂等を充填する。例えば、表示位置Ａに対応する各列画像Ａ１に対応する部分は透明樹脂材料であり、ここから通過する表示画像の光の偏光方向を変えなく、表示位置Ｂに対応する各列画像Ｂ１に対応する部分は液晶層であり、例えば、液晶層の液晶分子が９０度のＴＮ型螺旋配列であり、ここを通過する光線の偏光角度は９０度回転される。このような偏光分光プリズム４は、表示位置Ａと表示位置Ｂとの光線偏光方向をお互いに垂直させることができる。また、需要によって、旋光子アレイの位置と具体的な層数を設定できる。第１表示位置Ａに対応する画素Ａ１は対応する表示しようとする画像を得るためのものであり、第２表示位置Ｂに対応する画素Ｂ１は対応する表示しようとする画像を得るためのものである。
【００３３】
なお、本実施形態で区分される第１表示位置Ａ或は第２表示位置Ｂは、ある領域で表示される画像を一類にし、図面でのＡ或はＢと表記された位置で表示される内容が必ず完全に一致するとは言えない。前記第１表示位置Ａと第２表示位置Ｂとが交代して分布されるとは、画像重畳表示領域３で第１表示位置Ａと第２表示位置Ｂとがお互いに隔てて配列されることを意味する。偏光分光プリズム４と集光プリズム５によって、表示位置Ａから発射された光は、その全体が組み合わされた後、有効表示領域１で連続で完全な画像（或は部分的画像）を形成できる。同じく、偏光分光プリズム４と集光プリズム５によって、表示位置Ｂから発射された光は、その全体が組み合わされた後、フレーム領域２で連続で完全な画像（或は部分的画像）を形成できる。また、ディスプレースクリーンの有効表示領域１で画像重畳表示領域３を除いた領域の画像は、通常の方式で表示される。画像重畳表示領域３のサイズの選択は、フレームのサイズ及び光線に対する偏光反射膜５２の偏移角度によって決める。
【００３４】
図４〜７に示すように、本発明で提供されるタイルドディスプレースクリーンは、二つのシングルのディスプレースクリーンをタイリングして構成され、各シングルのディスプレースクリーンは上記実施形態によるディスプレースクリーンである。例えば、当該二つのディスプレースクリーンは、第１ディスプレースクリーン６と第２ディスプレースクリーン７とを含む。この例で、当該ディスプレースクリーンの数は二つであるが、これに限らなく、ディスプレースクリーンのサイズに基づいてディスプレースクリーンの数量を具体的に設定できる。
【００３５】
図４を参照すると、当該第１ディスプレースクリーン６は第１有効表示領域６１と第１フレーム領域６２とを備え、第２ディスプレースクリーン７は、第２有効表示領域７１と第２フレーム領域７２とを備える。第１ディスプレースクリーン６と第２ディスプレースクリーン７を接合する時、第１フレーム領域６２と第２フレーム領域７２を接合することによって、さらに大きいディスプレースクリーンを得る。第１フレーム領域６２と第２フレーム領域７２は、一緒にフレーム待機表示領域８を形成する。当該フレーム待機表示領域８の幅はｈである。第１有効表示領域６１での第１フレーム領域６２寄りの領域は第１画像重畳表示領域６３であり、第２有効表示領域７１での第２フレーム領域７２寄りの領域は第２画像重畳表示領域７３である。
【００３６】
第１画像重畳表示領域６３は、第１有効表示領域６１で表示しようとする画像に関する第３表示位置Ａ１と第１フレーム領域６２で表示しようとする画像に関する第４表示位置Ｂ１を含み、例えば前記第３表示位置Ａ１と第４表示位置Ｂ１とが交代して分布されている。第２画像重畳表示領域７３は、第２有効表示領域７１で表示しようとする画像に関する第５表示位置Ａ２と、第２フレーム領域７２で表示しようとする画像に関する第４表示位置Ｂ１とを含み、例えば前記第５表示位置Ａ２と第４表示位置Ｂ１とが交代して分布されている。
【００３７】
第１画像重畳表示領域６３及び第２画像重畳表示領域７３のそれぞれ入力端に、列おきに画像を走査する方式で信号を入力して、第１画像重畳表示領域６３での第３表示位置Ａ１と第４表示位置Ｂ１との分布（例えば交代して分布される）に対応し、且つ類似に、第２画像重畳表示領域７３での第５表示位置Ａ２と第４表示位置Ｂ１との分布（例えば交代して分布される）に対応する。
【００３８】
第１画像重畳表示領域６３と第２画像重畳表示領域７３とが協働してフレーム待機表示領域８で画像を表示するために、第１画像重畳表示領域６３と第２画像重畳表示領域７３のそれぞれの幅をフレーム待機表示領域８の幅ｈの半分に設定し、即ち、第１画像重畳表示領域６３と第２画像重畳表示領域７３のそれぞれの幅はｈ/２である。
【００３９】
当該第１画像重畳表示領域６３と第２画像重畳表示領域７３のそれぞれの幅はｈ/２であるが、これに限らなく、実際の情況によって調整できる。
【００４０】
また、第１有効表示領域６１で表示される画像をＡ１とし、第１フレーム領域６２で表示される画像（フレーム待機表示領域８で表示する予定である画像に対応する）をＢ１とする場合、第１画像重畳表示領域６３で表示される画像はＡ１Ｂ１である。第２有効表示領域７１で表示される画像をＡ２とし、第２フレーム領域７２中の画像（フレーム待機表示領域で表示する予定である画像に対応する）をＢ１とする場合、第２画像重畳表示領域７３に対応する画像はＡ２Ｂ１である。
【００４１】
なお、本分野の当業者であれば、図５において表示位置Ａ１又はＢ１の位置が第１有効表示領域６１で表示される画像或は第１フレーム領域６２で表示される画像の何れかに対応してもよいし、これらは交換可能なものであり、表示位置Ａ１とＢ１の位置が交代して配列されるように形成すればよいことを理解できる。好ましくは、より第１フレーム領域６２側に位置する表示位置Ｂ１がフレーム領域８で表示する予定である画像に対応する。同じく、表示位置Ａ２とＢ１の位置に対応する画像も交換でき、好ましくは、より第２フレーム領域６２側に位置する表示位置Ｂ１がフレーム領域８で表示する予定である画像に対応する。
【００４２】
図５を参照すると、本実施形態に係るタイルドディスプレースクリーンは出光面に偏光分光プリズム４を設け、偏光分光プリズム４の偏光分光作用によって、有効表示領域６１又は７１で表示する予定である画像の光線の偏光方向を変えないように確保するが、フレーム待機表示領域８で表示する予定である画像の光線の偏光方向は回転され、即ち、９０度回転され、さらに、有効表示領域６１、７１で表示する予定である画像の光線の偏光方向はフレーム待機表示領域８で表示する予定である画像の光線の偏光方向と垂直になる。例えば、表示位置Ａ１とＡ２の光線の偏光方向は保持されて変えないが、表示位置Ｂ１の光線の偏光方向は回転され、即ち、９０度回転され、表示位置Ａ１とＡ２の光線の偏光方向は表示位置Ｂ１の光線の偏光方向とお互いに垂直になる。なお、異なる性能の偏光分光プリズム４を選択することによって、表示位置Ｂ１の光線の偏光方向は保持されて変えないが、表示位置Ａ１とＡ２の光線の偏光方向は９０度回転され、表示位置Ｂ１の光線の偏光方向が表示位置Ａ１とＡ２の光線の偏光方向と垂直になってもよい。
【００４３】
図６を参照すると、偏光分光プリズム４の出光面に、各側に偏光反射膜５２を備えた集光プリズム５を設ける。当該偏光反射膜５２は金属、または金属酸化物等の材料からなる反射膜である。例えば、偏光反射膜５２は表示位置Ａ１と表示位置Ａ２の光に対して反射しないが、表示位置Ｂ１の光に対しては反射する。当該集光プリズム５によって、第１画像重畳表示領域６３と第２画像重畳表示領域７３のそれぞれに位置する表示位置Ｂ１の光がフレーム待機表示領域８に集光される。
【００４４】
例えば、図６及び図７に示すように、前記集光プリズム５は、対向して設けられ、且つ、いずれも偏光分光プリズム４と夾角ａ，ｂを持つ二つの反射プリズム５１を備えている。前記二つの反射プリズム５１の間も予定夾角ｃを備え、当該予定夾角ｃの開口サイズはフレーム待機表示領域８のサイズとマッチングしている。
【００４５】
例えば、集光プリズム５の二つの四角形反射プリズム５１が対称的に設置され、前記二つの四角形プリズムにより形成された開口中心線はフレーム待機表示領域８の中心線と同一直線に位置する。図７を参照すると、偏光分光プリズム４を通過して出た光線は、偏光反射膜５２を塗布した集光プリズム５２に作用し、偏光反射膜５２と反射プリズム５１は表示位置Ａ１とＡ２の光を反射しなく、この光が直接に通過して、有効表示領域６１、７１の画像を表示する。しかし、偏光反射膜５２と反射プリズム５１は表示位置Ｂ１の光に対しては反射して、第１画像重畳表示領域６３と第２画像重畳表示領域７３中のフレーム待機表示領域８で画像を表示する予定である表示位置Ｂ１の光を偏移させ、当該画像がフレーム待機表示領域８に偏移され、フレーム待機表示領域８も正常的に画像を表示するようにする。従って、最終にはフレームなくディスプレースクリーンをタイリングする。
【００４６】
なお、本発明の上記実施形態は、ディスプレースクリーンが少なくとも一つのフレームを備えたり、或は、二つのディスプレースクリーンが少なくとも一つのフレームでお互いにタイリングされている場合を説明したが、本発明はこれに限らなく、同様に複数のフレームを備えているディスプレースクリーン（例えば周りに全部フレームを備える）や複数のフレームを備えるディスプレースクリーンをタイリングする場合にも適用できる。
【００４７】
また、タイリングディスプレーを行う時、その中の一つのディスプレースクリーンの画像重畳表示領域のみに、第１有効表示領域で表示する予定である画像に関する第３表示位置Ａ１と第１フレーム領域で表示する予定である画像に関する第４表示位置Ｂ１を設置して、前記第３表示位置Ａ１と第４表示位置Ｂ１が交代して分布され、もう一つのディスプレースクリーンには有効表示領域と画像重畳表示領域を区分しなく、正常の表示画像だけを入力してもよい。第４表示位置Ｂ１から発射された光は、偏光反射膜５２を通過して自体のディスプレースクリーンのフレーム領域で表示されるだけでなく、またもう一つのディスプレースクリーンのフレーム領域に偏移されて表示され、同じくフレームのないタイリングディスプレーを実現する。
【００４８】
なお、フレーム領域で表示しようとする画像に関する第４表示位置Ｂ１の具体的な偏移の大きさは、偏光反射膜５２と偏光分光プリズム４の間の夾角ａを調整することで実現される。同じく、ディスプレースクリーンのフレームのサイズに基づいて偏光反射膜５２と偏光分光プリズム４の間の夾角を適正に選択調整し、且つ偏光反射膜５２の数を調整することによって、フレームのないタイリングディスプレーを実現する。
【００４９】
本発明の実施形態で提供されるタイルドディスプレースクリーンは、ディスプレースクリーンに偏光分光プリズムと集光プリズムを設けることで、フレームのないタイルドディスプレースクリーンが得られ、観賞者の視覚的分断感を最大限に減少させ、観賞者に完全、明晰、高品質的な表示画面を確保する。
【００５０】
以上の説明は、ただ本発明の例示した実施形態に過ぎなく、本発明の保護範囲を制限するものではない。本発明の保護範囲は特許請求の範囲によって決められる。
【符号の説明】
【００５１】
１  有効表示領域
２  フレーム領域
３  画像重畳表示領域
４  偏光分光プリズム
５  集光プリズム
５１  反射プリズム
５２  偏光反射膜
６  第１ディスプレースクリーン
６１  第１有効表示領域
６２  第１フレーム領域
６３  第１画像重畳表示領域
７  第２ディスプレースクリーン
７１  第２有効表示領域
７２  第２フレーム領域
７３  第２画像重畳表示領域
８  フレーム待機表示領域
【図１】
2014146025.tif 000003
【図２】
2014146025.tif 000004
【図３】
2014146025.tif 000005
【図４】
2014146025.tif 000006
【図５】
2014146025.tif 000007
【図６】
2014146025.tif 000008
【図７】
2014146025.tif 000009